(57)【要約】【課題】個別の管理が可能な洗車スペースを多数設け、駐車場としても使用可能とするとにより、洗車場の使い勝手や採算性を高めることを目的とする。【解決手段】洗車場１内に多数の個別の洗車スペース２を設け、各洗車スペース２に、車両センサ３と、車両の退出を阻止するロック装置４と、洗車用設備（水道設備及び電源設備）６を設け、車両センサ３が車両を検知するとロック装置４で車両をロックすると共に洗車用設備６を使用可能とし、料金の精算によりロックを解除する構成とすることにより、洗車場だけでなく駐車場としても使用できるようにした。【選択図】  図５
2004196215.tif 000002
【特許請求の範囲】
【請求項１】
洗車場内に複数の個別の洗車スペースを設け、該各洗車スペース毎に、車両検知手段と、前記洗車スペースからの車両の退出を阻止するロック手段と、洗車用設備とを少なくとも備え、前記車両検知手段が車両を検知すると前記ロック手段をロック状態に駆動すると共に前記洗車用設備を使用可能状態とし、料金の支払いで前記ロック手段のロック状態を解除する構成としたことを特徴とする洗車場システム。
【請求項２】
洗車場内に複数の個別の洗車スペースを設け、該各洗車スペース毎に、車両検知手段と、前記洗車スペースからの車両の退出を阻止するロック手段と、洗車用設備とを少なくとも備え、前記車両検知手段が車両を検知した状態で初期料金の支払いがあったときに前記洗車用設備を所定時間使用可能状態とし、初期料金の支払いがないときには前記ロック手段をロック状態に駆動する構成としたことを特徴とする洗車場システム。
【請求項３】
料金等の利用者に対する情報を表示する表示手段を、各洗車スペースに備える請求項１又は２に記載の洗車場システム。
【請求項４】
料金精算手段を、各洗車スペースに備える請求項１〜３のいずれか１つに記載の洗車場システム。
【請求項５】
各洗車スペースの料金精算を一括管理する中央料金精算機を備える請求項１〜３のいずれか１つに記載の洗車場システム。
【請求項６】
前記洗車用設備が使用可能な前記所定時間が経過した後、延長時間の計時及び料金表示を行うと共に前記ロック手段をロック状態とし、延長料金の支払いがあったときに前記ロック手段のロック状態を解除する構成である請求項２〜５のいずれか１つに記載の洗車場システム。
【請求項７】
前記各洗車スペースに、前記洗車用設備の使用停止操作のための操作手段を備える請求項１〜６のいずれか１つに記載の洗車場システム。
【請求項８】
前記洗車用設備は、水道設備及び電源設備である請求項１〜７のいずれか１つに記載の洗車場システム。
【請求項９】
前記電源設備は、電気自動車の充電が可能な設備を備える構成である請求項８に記載の洗車場システム。
【発明の詳細な説明】
【０００１】
【発明の属する技術分野】
本発明は、洗車場システムに関し、特に、駐車管理機能を備えた個別の洗車スペースを設け、各スペース毎に料金徴収を可能として駐車場としても使用可能な洗車場システムに関する。
【０００２】
【従来の技術】
近年、洗車機器を設置して利用者自身が洗車を行えるようにした、所謂、コイン洗車場システムが普及している。
【０００３】
従来のこの種の洗車場システムとして、利用者の入退場をゲートで規制すると共に、利用者の滞在時間、洗車場内に設備した洗車機器の使用状況等をカードを用いて管理し、退場時にカードに記憶されている内容に基づいて料金を徴収する構成としたものがある（例えば、特許公報１参照）。
【０００４】
また、洗車場内に、洗車機器をそれぞれ設備した個別のガレージ状洗車スペースを複数設け、出入口に入退場車両を検知する車両センサを設けて入場車両と退場車両を監視することにより、洗車スペースの使用状況（満室か否か）を管理し、空室があれば一定料金の支払いにより入場ゲートを開放して入場を許可する構成としたものがある（例えば、特許公報２参照）。
【０００５】
【特許文献１】
特開平５−１４７５０２号公報
【特許文献２】
特開平７−１７２２７１号公報
【０００６】
【発明が解決しようとする課題】
しかしながら、前者の洗車場システムの場合、利用する洗車機器毎に移動する必要があり、洗車機器に空きがない場合には待たなければならない。また、濡れた車体の拭き取りスペースについても同様でスペースに空きがない場合には待たなければならない。特に、拭き取りスペースでは一人当たりの使用時間が長く、待ち時間が長くなる傾向があり、このような場合、洗車機器が空いていても入場者を規制しなければならず洗車機器の稼動効率が悪い。
【０００７】
後者の洗車場システムの場合、前者のシステムのように移動の必要はないが、入場時に一定料金を支払えば洗車機器及び洗車スペースは時間制限なく使用できるので、退場を促す案内があるにしても一人当たりの洗車スペース占有時間が長くなる。このため、洗車場の回転効率が悪く、また、洗車が終了したにも拘わらず出場しない車両があれば洗車スペースに空きが生じる等、無駄が多く採算性が悪い。
【０００８】
更に、両洗車場システムも入出場ゲートを設けるスペースを必要とし、その分洗車スペースが狭くなるので広い土地が必要である。
本発明は上記の点に着目してなされたもので、個々の洗車スペースの使用を個別に管理して個々に料金徴収を可能とすることにより、使い勝手や採算性の良好な洗車場システムを提供することを目的とする。
【０００９】
【課題を解決するための手段】
上記の目的を達成するため、本発明の洗車場システムは、洗車場内に複数の個別の洗車スペースを設け、該各洗車スペース毎に、車両検知手段と、前記洗車スペースからの車両の退出を阻止するロック手段と、洗車用設備とを少なくとも備え、前記車両検知手段が車両を検知すると前記ロック手段をロック状態に駆動すると共に前記洗車用設備を使用可能状態とし、料金の支払いで前記ロック手段のロック状態を解除する構成とした。
【００１０】
かかる構成では、利用者が車両を個別の洗車スペースに入れると、車両検知手段がこれを検知し、ロック手段がロック状態となる。また、洗車用設備が使用可能な状態となる。利用者が洗車後に洗車スペースの滞在時間に応じた所定の料金を支払うとロック手段のロック状態が解除され、利用者は洗車スペースから車両を退出させることが可能になる。
【００１１】
また、本発明の洗車場システムは、洗車場内に複数の個別の洗車スペースを設け、該各洗車スペース毎に、車両検知手段と、前記洗車スペースからの車両の退出を阻止するロック手段と、洗車用設備とを少なくとも備え、前記車両検知手段が車両を検知した状態で初期料金の支払いがあったときに前記洗車用設備を所定時間使用可能状態とし、初期料金の支払いがないときには前記ロック手段をロック状態に駆動する構成とした。
【００１２】
かかる構成では、利用者が車両を個別の洗車スペースに入れると、車両検知手段がこれを検知し、利用者が初期料金を支払うことで洗車用設備が使用可能な状態となる。利用者が初期料金を支払わない場合は、ロック手段をロック状態として車両の退出を阻止する。その後は、駐車時間に応じた料金を利用者が支払えばロック手段のロック状態を解除して洗車スペースからの車両の退出を許可する。
【００１３】
請求項３のように、料金等の利用者に対する情報を表示する表示手段を、各洗車スペースに備える構成とするとよい。
請求項４のように、料金精算手段を、各洗車スペースに備える構成としてもよく、請求項５のように、各洗車スペースの料金精算を一括管理する中央料金精算機を備える構成としてもよい。
【００１４】
請求項６のように、前記洗車用設備が使用可能な前記所定時間が経過した後、延長時間の計時及び料金表示を行うと共に前記ロック手段をロック状態とし、延長料金の支払いがあったときに前記ロック手段のロック状態を解除する構成とするとよい。
【００１５】
かかる構成では、所定時間内に洗車が終了しない利用者に対して、延長料金を徴収できるようになる。
請求項７のように、前記各洗車スペースに、前記洗車用設備の使用停止操作のための操作手段を備える構成とするとよい。
【００１６】
かかる構成では、利用者が操作手段を操作することで、洗車用設備の無断使用等を抑制できるようになる。
前記洗車用設備は、具体的には請求項８のように、水道設備及び電源設備である。この場合、請求項９のように、前記電源設備は、電気自動車の充電が可能な設備を備える構成とするとよい。
【００１７】
【発明の実施の形態】
以下、本発明の実施形態を図面に基づいて説明する。
図１は、本発明に係る洗車場システムの第１実施形態における洗車場の概略図である。
【００１８】
図１において、洗車場１は、多数の個別の洗車スペース２，２，・・・を有する。各洗車スペース２には、図２に示すように、スペースの略中央に埋設されたループコイルを利用した車両検知手段としての車両センサ３と、洗車スペース２の入口の略中央に設置されて車両の退出を阻止するためのロック手段としてのロック装置４と、料金精算手段である料金精算機５と、水道設備６Ａと電源設備６Ｂを備える洗車用設備６と、車輪止め７とがそれぞれ設けられている。
【００１９】
前記ロック装置４は、装置本体４Ａに回動可能に軸支されたロック板４Ｂを有し、図３に示すように車両８のロック時はロック板４Ｂを起立状態とし、ロック解除時は図２にようにロック板４Ｂを倒伏状態とする構成である。
【００２０】
前記料金精算機５は、図４に示すように、金銭処理部１１と、洗車終了ボタン１２と、精算終了ボタン１３と、料金等の利用者に対する情報を表示する表示手段としての表示部１４と、時間を計時する計時部１５と、車両センサ３、金銭処理部１１、利用が操作する洗車用設備の使用停止操作のための操作手段である終了ボタン１２、精算終了ボタン１３及び計時部１５からの信号に基づいて、後述の図５のフローチャートに示すようにロック装置４、洗車用設備６（水道設備６Ａ及び電源設備６Ｂ）、表示部１４の動作を制御する例えばＣＰＵやメモリを備えたマイクロコンピュータで構成される制御部１６とを備えて構成される。図示しないが、金銭処理部１１の金銭投入口や釣銭排出口、洗車終了ボタン１２、精算終了ボタン１３及び表示部１４等は、料金精算機５の前面パネルに設けられていることは言うまでもない。料金の精算方式は、現金の他、カード、コイン、これらの併用等種々の方式が考えられ、精算方式に応じた精算機能を備える料金精算機を設備すればよい。
【００２１】
次に、図５のフローチャートを参照して制御部１６の制御動作について説明する。
ステップ１（図中Ｓ１とし、以下同様とする）では、車両検知センサ３の出力に基づいて車両の有無を判定し、車両が検知されたらステップ２に進み、ロック装置４を駆動して図３のようにロック板４Ｂを起立駆動して車両８をロックする。
【００２２】
次いで、ステップ３で、水道設備６Ａのバルブや電源設備６Ｂのブレーカ等を制御してこれらを供給可能にすることにより洗車用設備６を使用可能な状態とする。また、ステップ４で、計時部１５の計時信号により入場時刻をメモリに記憶すると共に、時間の計時を開始する。この状態で、利用者は洗車用設備を利用して洗車を行い、終了すれば終了ボタン１２と精算ボタン１３を操作する。また、洗車後に駐車したい場合は、終了ボタン１２のみを操作する。一方、洗車ではなく駐車を目的とした利用者は、退出時に精算ボタン１３を操作すればよい。
【００２３】
ステップ５では、終了ボタン１２及び精算ボタン１３が共に操作（ＯＮ）されたか否かを判定する。共に操作された場合は、ステップ６に進み、洗車料金を例えば使用時間に応じて算出し、ステップ７で算出した料金を表示部１４に表示する。
【００２４】
ステップ８では、金銭処理部１１の出力に基づいて料金が精算されたか否かを判定する。精算されればステップ９に進み、ロック板４Ｂを倒伏駆動してロック状態を解除し、ステップ１０で、洗車用設備６を供給停止状態とする。ロック装置４の解除により、利用者は洗車スペース２から退出可能となる。
【００２５】
一方、ステップ５でＮＯと判定された場合、ステップ１１で終了ボタン１２のみが操作されたか否か或いはステップ１５で精算ボタン１３のみが操作されたか否かを判定する。
【００２６】
そして、終了ボタン１２のみが操作された場合は、ステップ１１の判定がＹＥＳとなりステップ１２に進み、ステップ７と同様に洗車料金を算出する。ステップ１３では、精算ボタン１３が操作されたか否かを判定し、操作された場合はステップ１４で、洗車料金算出後の駐車時間に応じた駐車料金を算出して洗車料金と駐車料金の合計金額を算出する。その後は、前述したステップ７〜１０の動作となる。
【００２７】
また、精算ボタン１３のみが操作された場合は、ステップ１５の判定がＹＥＳとなりステップ１６に進み、駐車時間に応じた駐車料金を算出する。その後は、前述したステップ７〜１０の動作となる。
【００２８】
尚、洗車スペース２に車両８が入場して車両センサ３が検知してロック装置４が動作するまでの間に、所定の時間間隔を設定するとよい。利用者は、洗車スペースに一旦進入したが、何らかの理由により引き返す場合が考えられる。そのような場合、車両進入後、直ちにロック装置を動作させると車両がロック板４Ｂで損傷する虞れがある。従って、車両センサ３が車両を検知してから所定の設定時間経過するまではロック装置を動作させないようにすれば、ロック板４Ｂによる車両の損傷を防止できる。
【００２９】
かかる第１実施形態の構成によれば、洗車スペース２を個別の駐車スペースとして使用でき駐車場としても使用できるので、洗車利用客の少ない雨天の日は駐車場にする等、洗車の利用客が多い日と少ない日で洗車場と駐車場を使い分けることが可能になる。また、洗車スペース２毎に個別に管理できゲートが不用であるので、無駄なスペースが少なくスペースの運用効率を高めることができる。従って、狭い土地に設置でき、十分な収益を得ることが可能である。
【００３０】
更に、電源設備６Ｂに、電気自動車の充電設備を備えるようにすれば、電気自動車の充電用スタンドとしても活用でき、より一層洗車場１を有効活用でき、収益性を向上できる。
【００３１】
次に、図６及び図７のフローチャートを参照して本発明の第２実施形態の動作を説明する。尚、第２実施形態のハードウエアの構成は、第１実施形態と略同様であり、制御部１１の制御動作が異なるだけである。従って、ハードウエア構成については図１〜図４を代用し、ここでは、図６及び図７に従って制御部１１の制御動作について述べる。
【００３２】
ステップ２１では、車両検知センサ３の出力に基づいて車両の有無を判定し、車両が検知されたらステップ２２に進み、洗車の初期料金を表示部１４に表示し、ステップ２３で、計時を開始し、ステップ２４に進む。
【００３３】
ステップ２４では、初期料金が支払われたか否かを判定し、所定時間内に支払いがあれば洗車利用者と判断してステップ２５に進み、支払いがなければ洗車でなく駐車利用客と判断して後述のステップ３４に進む。
【００３４】
ステップ２５では、水道や電源の供給を開始して洗車用設備６を使用可能な状態とする。
ステップ２６では、初期時間が経過したか否かを判定し、経過以前ではステップ３３で終了ボタン１２がＯＮか否かを判定する。初期時間経過以前に終了ボタンが押されれば洗車終了と判断して後述のステップ３４に進む。終了ボタンがＯＮされず初期時間が経過したときは、ステップ２７に進み延長時間の計時を開始し、ステップ２８で延長料金を表示し、ステップ２９でロック装置４を駆動して車両をロックする。
【００３５】
ステップ３０では、延長料金が支払われたか否かを判定し、支払われた場合はステップ３１で車両ロックを解除し、ステップ３２に進み終了ボタン１２が押されたか否かを判定する。終了ボタン１２がＯＮされた場合は洗車終了と判断してステップ３
に進む。
【００３６】
ステップ３２又はステップ３３の判定がＹＥＳとなり、ステップ３４に進むと水道、電源の供給を停止して洗車用設備６を使用できない状態とする。これにより、洗車を終了した利用者以外の人が洗車用設備６を無断で利用することを防止できる。
【００３７】
ステップ３５では、車両センサ３で車両が検知されているか否かにより車両が退車したか否かを判定し、車両が所定時間内に退車しなければ洗車終了後に駐車するものと判断してステップ３６に進みロック装置４を駆動して車両をロックする。所定時間内に退車した場合はフローを終了して次の利用客に備える。
【００３８】
ステップ３７では、精算ボタン１３がＯＮか否かを判定し、精算ボタン１３がＯＮされた場合は、ステップ３８で駐車料金を算出し、ステップ３９で駐車料金を表示し、ステップ４０で駐車料金が精算されたか否かを判定し、精算が完了すればステップ４１に進み、車両のロックを解除し、利用者に対しいて退出を許可する。
【００３９】
ステップ４２では、車両が退出したか否かを判定し、所定時間内に退出すればフローを終了する。所定時間内に退出しなければ再度車両をロックする。
かかる第２実施形態の場合も第１実施形態と同様の効果を有する。
【００４０】
尚、上述の実施形態では、料金精算機を各洗車スペースに設ける構成としたが、洗車場の出入口等に各洗車スペースを一括して集中管理する中央料金精算機を備えるようにしてもよい。この場合、各洗車スペース２を識別するために固有の番号等を付しておき、利用者は中央料金精算機で料金精算する際には自身の使用した洗車スペース２の番号を入力すればよい。
【００４１】
また、第１実施形態の場合には表示部１４も中央料金精算機側に設けるようにすれば洗車スペース２を広く使用できる。
また、水道設備６Ａ及び電源設備６Ｂにメータを設備すれば使用量に応じた料金を課金することが可能となる。
【００４２】
また、洗車スペースからの車両の退出を阻止するロック装置としては、本実施形態のものに限らず、例えば特開２０００−２０４７８５号公報の図１２等に示されているような、本実施形態のロック板に相当するフラップ（鎖錠板）が洗車スペース内に駐車する車両の前後のタイヤ間に配置されるタイヤロック式のロック装置でもよい。
【００４３】
【発明の効果】
以上説明したように、本発明の洗車場システムによれば、洗車スペースを個別の駐車スペースとして使用でき洗車場と駐車場の両方を兼ねることができるので、洗車場と駐車場を使い分けることにより、天候等に影響されずに収益性を向上できる。また、ゲートスペースが不用になるので、狭い土地に設置できると共に、無駄なスペースが少なくスペースの運用効率を高めることができるので、十分な収益を確保できるようになる。更に、利用者は洗車開始後に従来のような洗車用設備や拭き取りスペースの空きを待つ必要がないので、時間の無駄がなくなり使い勝手が向上する。
【００４４】
また、洗車用設備として設置する電源設備に電気自動車用の充電設備を設ければ、電気自動車の充電用スタンドとしても活用できるので、より一層洗車場の有効利用が図れ、収益性を向上できる。
【図面の簡単な説明】
【図１】本発明に係る洗車場システムを適用する洗車場の概略図
【図２】洗車スペースの構成図
【図３】洗車スペースの車両ロック時の状態図
【図４】料金精算機の構成例を示すブロック図
【図５】本発明の第１実施形態の動作を説明するフローチャート
【図６】本発明の第２実施形態の動作を説明するフローチャート
【図７】図６に続く第２実施形態の動作を説明するフローチャート
【符号の説明】
１    洗車場
２    洗車スペース
３    車両センサ
４    ロック装置
５    料金精算機
６    洗車用設備
８    車両
１１    金銭処理部
１２    終了ボタン
１３    精算ボタン
１４    表示部
１５    計時部
１６    制御部
【図１】
2004196215.tif 000003
【図２】
2004196215.tif 000004
【図３】
2004196215.tif 000005
【図４】
2004196215.tif 000006
【図５】
2004196215.tif 000007
【図６】
2004196215.tif 000008
【図７】
2004196215.tif 000009